【手続補正書】
【提出日】平成20年4月11日(2008.4.11)
【手続補正１】
【補正対象書類名】明細書
【補正対象項目名】特許請求の範囲
【補正方法】変更
【補正の内容】
【特許請求の範囲】
【請求項１】  プレイヤーの操作によって育成対象が育成され、
その育成対象がゲーム上で競争を行い、前記競争において育成成果に応じた能力を発揮するゲーム機において、
中断されたゲームの状態や履歴を記憶する記憶手段と、
ゲームを進行させるゲーム進行手段と、
を備え、
前記ゲーム進行手段は、前記ゲームへのプレイヤーの参加の有無に関わらず前記競争が所定のスケジュールに即して継続的に開催されるように、前記ゲームを進行させ、
前記記憶手段は、中断されたゲームの状態や履歴をプレイヤーごとに記憶し、
前記ゲーム進行手段は、前記記憶手段にプレイヤーごとに記憶された前記ゲームの状態や履歴を用いて、そのプレイヤーの育成対象についてゲームの続きを継続的に進行させ、
前記ゲームの状態や履歴は、前記プレイヤーの操作によって育成される育成対象の育成成果を含み、
前記ゲーム進行手段は、前記プレイヤーの操作によって育成される育成対象のゲーム上の時間経過をプレイヤーごとに独立させて管理する、ことを特徴とするゲーム機。
【請求項２】  前記ゲームの状態や履歴にはプレイヤーが最後にゲームをプレイした時を特定する最終プレイ時情報が含まれ、
前記ゲーム進行手段は、前記最終プレイ時情報に基づいて、そのゲームの続きを継続的に進行させるとともに、育成対象のゲーム上の時間経過をプレイヤーごとに独立させて管理することを特徴とする請求項１に記載のゲーム機。
【請求項３】  着脱可能な記録媒体の情報を読み取る読取手段を備え、
前記記録媒体には個々の記録媒体を特定する特定情報が記録され、
前記記憶手段には、前記特定情報と対応付けて前記ゲームの状態や履歴が記憶され、
前記ゲーム進行手段は、前記読取手段によって読み取られた前記特定情報に対応付けられて前記記憶手段に記憶された前記ゲームの状態や履歴を用いて、そのゲームの続きを継続的に進行させるようにしたことを特徴とする請求項１又は２に記載のゲーム機。
【請求項４】  ゲームを進行させる共通のフィールドと、
前記共通のフィールドで進行されるゲームに関するプレイヤーの入力操作をそれぞれ受付ける１又は複数のステーションと、を備え、
前記育成対象は、前記共通のフィールドにおいてゲーム上の競争を行う、ことを特徴とする請求項３に記載のゲーム機。
【請求項５】  前記読取手段が前記ステーションごとに設けられていることを特徴とする請求項４に記載のメダルゲーム機。
【請求項６】  前記記憶手段は、前記ステーションごとに設けられることを特徴とする請求項５に記載のゲーム機。
【請求項７】  着脱可能な記録媒体の情報を読み取る読取手段を備え、
前記記憶手段は、前記中断されたゲームの状態や履歴を前記記録媒体に書込み、
前記ゲーム進行手段は、前記読取手段によって読み取られたゲームの状態や履歴を用いて、そのゲームの続きを継続的に進行させるようにしたことを特徴とする請求項１又は２に記載のゲーム機。
【請求項８】  前記ゲーム機は、前記ゲーム進行手段によるゲームの進行に応じた遊技価値を払い出す払い出し手段を備えるメダルゲーム機である、ことを特徴とする請求項１〜７のいずれか１つに記載のゲ−ム機。
【手続補正２】
【補正対象書類名】明細書
【補正対象項目名】０００４
【補正方法】変更
【補正の内容】
【０００４】
本発明は、ゲームの継続性を確保することができるゲーム機を提供することを目的とする。
【手続補正３】
【補正対象書類名】明細書
【補正対象項目名】０００５
【補正方法】変更
【補正の内容】
【０００５】
【課題を解決するための手段】  請求項１に記載の発明は、プレイヤーの操作によって育成対象が育成され、その育成対象がゲーム上で競争を行い、この競争において育成成果に応じた能力を発揮するゲーム機において、中断されたゲームの状態や履歴を記憶する記憶手段（１０５、１０６、２０７）と、ゲームを進行させるゲーム進行手段（１０１、２０１）と、を備え、ゲーム進行手段（１０１、２０１）は、ゲームへのプレイヤーの参加の有無に関わらず競争が所定のスケジュールに即して継続的に開催されるようにゲームを進行させ、記憶手段（１０５、１０６、２０７）は、中断されたゲームの状態や履歴をプレイヤーごとに記憶し、ゲーム進行手段（１０１、２０１）は、記憶手段（１０５、１０６、２０７）にプレイヤーごとに記憶されたゲームの状態や履歴を用いて、そのプレイヤーの育成対象についてゲームの続きを継続的に進行させ、ゲームの状態や履歴は、プレイヤーの操作によって育成される育成対象の育成成果を含み、ゲーム進行手段（１０１、２０１）は、プレイヤーの操作によって育成される育成対象のゲーム上の時間経過をプレイヤーごとに独立させて管理する、ことを特徴とする。
【手続補正４】
【補正対象書類名】明細書
【補正対象項目名】０００６
【補正方法】変更
【補正の内容】
【０００６】
この場合には、記憶手段（１０５，１０６，２０７）に記憶されたゲームの状態や履歴を用いるとともに、ゲームの状態や履歴が、プレイヤーによってゲーム上で育成される育成対象の育成成果を含むようにしたので、育成ゲームの継続性を確保できる。
【手続補正５】
【補正対象書類名】明細書
【補正対象項目名】０００７
【補正方法】変更
【補正の内容】
【０００７】
請求項１のゲーム機において、請求項２のように、ゲームの状態や履歴にはプレイヤーが最後にゲームをプレイした時を特定する最終プレイ時情報が含まれ、ゲーム進行手段は、最終プレイ時情報に基づいて、そのゲームの続きを継続的に進行させるとともに、育成対象のゲーム上の時間経過をプレイヤーごとに独立させて管理してもよい。
【手続補正６】
【補正対象書類名】明細書
【補正対象項目名】０００８
【補正方法】変更
【補正の内容】
【０００８】
請求項１又は２のゲーム機において、請求項３のように、着脱可能な記録媒体の情報を読み取る読取手段（２０８）を備え、記録媒体には個々の記録媒体を特定する特定情報が記録され、記憶手段（１０５、１０６、２０７）には、特定情報と対応付けてゲームの状態や履歴が記憶され、ゲーム進行手段（１０１、２０１）は、読取手段（２０８）によって読み取られた特定情報に対応付けられて記憶手段（１０５、１０６、２０７）に記憶されたゲームの状態や履歴を用いて、そのゲームの続きを継続的に進行させるようにしてもよい。
【手続補正７】
【補正対象書類名】明細書
【補正対象項目名】０００９
【補正方法】変更
【補正の内容】
【０００９】
この場合には、ゲームの状態や履歴を記憶手段（１０５，１０６，２０７）に記憶するので、記録媒体にゲームの状態や履歴を記録する必要がない。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】変更
【補正の内容】
【００１２】
請求項３のゲーム機において、請求項４のように、ゲームを進行させる共通のフィールド（２）と、共通のフィールド（２）で進行されるゲームに関するプレイヤーの入力操作をそれぞれ受付ける１又は複数のステーション（３）と、を備え、育成対象は、この共通のフィールドにおいてゲーム上の競争を行ってもよい。
【手続補正１１】
【補正対象書類名】明細書
【補正対象項目名】００１３
【補正方法】変更
【補正の内容】
【００１３】
請求項４のゲーム機において、請求項５のように、読取手段（２０９）がステーション（３）ごとに設けられていてもよい。
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】変更
【補正の内容】
【００２６】
請求項７に記載の発明は、プレイヤーの操作によって育成対象が育成され、その育成対象がゲーム上で競争を行い、この競争において育成成果に応じた能力を発揮するゲーム機において、着脱可能な記録媒体の情報を読み取る読取手段と、を備え、記憶手段は、中断されたゲームの状態や履歴をこの記録媒体に書込み、ゲーム進行手段は、読取手段によって読み取られたゲームの状態や履歴を用いて、そのゲームの続きを継続的に進行させるようにしたことを特徴とする。
【手続補正２５】
【補正対象書類名】明細書
【補正対象項目名】００２８
【補正方法】変更
【補正の内容】
【００２８】
請求項１〜７のいずれか１項のゲーム機において、ゲーム機は、請求項８のように、ゲーム進行手段によるゲームの進行に応じた遊技価値を払い出す払い出し手段を備えるメダルゲーム機であってもよい。
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】削除
【補正の内容】
【手続補正３０】
【補正対象書類名】明細書
【補正対象項目名】０１４８
【補正方法】変更
【補正の内容】
【０１４８】
【発明の効果】  請求項１に記載の発明によれば、記憶手段に記憶されたゲームの状態や履歴を用いるとともに、ゲームの状態や履歴が、プレイヤーによってゲーム上で育成される育成対象の育成成果を含むようにしたので、育成ゲームの継続性を確保できる。
【手続補正３１】
【補正対象書類名】明細書
【補正対象項目名】０１４９
【補正方法】変更
【補正の内容】
【０１４９】
請求項７に記載の発明によれば、記録媒体に記憶されたゲームの状態や履歴を用いるようにしたので、ゲームの継続性を確保できる。
【手続補正３２】
【補正対象書類名】明細書
【補正対象項目名】０１５０
【補正方法】削除
【補正の内容】
【手続補正３３】
【補正対象書類名】明細書
【補正対象項目名】０１５１
【補正方法】削除
【補正の内容】